(57)【要約】【課題】開き戸で開閉される戸口において戸開時のペット等の通り抜けを規制する技術を提供する。【解決手段】通り抜け規制器具は、開き戸１０１で開閉される戸口１０２において戸開時の通り抜けを規制する器具であり、第１支持部１と、第２支持部２と、規制部３と、を備える。第１支持部１は、開き戸１０１の内面のうちの戸先１０１ａに近いに位置に取り付けられる。第２支持部２は、戸口１０２の側縁部１０２ｂに取り付けられる。そして、規制部３は、折り畳み可能に連結された２つの規制部材３１を含み、当該規制部３の両端部（線状部３０ａ及び３０ｂ）がそれぞれ第１支持部１及び第２支持部２に回動可能に支持されている。【選択図】図１
2019106949.tif 000002
【特許請求の範囲】
【請求項１】
開き戸で開閉される戸口において戸開時の通り抜けを規制する器具であって、
前記開き戸の内面のうちの戸先に近いに位置に取り付けられる第１支持部と、
前記戸口の側縁部に取り付けられる第２支持部と、
折り畳み可能に連結された２つの規制部材を含む規制部であって、その両端部がそれぞれ前記第１支持部及び前記第２支持部に回動可能に支持される規制部と、
を備える、通り抜け規制器具。
【請求項２】
前記規制部は、前記第２支持部に支持される前記端部として、縦方向に延びた線状部を有し、
前記第２支持部は、前記線状部が着脱可能に係合することで当該線状部を回動可能に支持する係合部を有する、請求項１に記載の通り抜け規制器具。
【請求項３】
前記係合部には、係合位置へ前記線状部を導き入れるための入口が設けられており、
前記係合部は、前記入口を介して互いに対向する対向面がそれぞれに形成された第１係合構成部及び第２係合構成部から構成され、当該第２係合構成部は、自身の前記対向面を前記第１係合構成部の前記対向面から離間させる離間方向へ移動することが可能であり、
前記第２支持部は、前記離間方向とは逆方向へ前記第２係合構成部を付勢する付勢部材を更に有する、請求項２に記載の通り抜け規制器具。
【請求項４】
前記第１係合構成部及び前記第２係合構成部の少なくとも何れか一方の前記対向面には、これに対向するもう一方の前記対向面とは反対側へ傾斜すると共に前記係合部の外側へ向けられた第１傾斜面が形成されている、請求項３に記載の通り抜け規制器具。
【請求項５】
前記第１係合構成部及び前記第２係合構成部の少なくとも何れか一方の前記対向面には、これに対向するもう一方の前記対向面とは反対側へ傾斜すると共に前記係合部の内側へ向けられた第２傾斜面が形成されている、請求項３又は４に記載の通り抜け規制器具。
【請求項６】
前記２つの規制部材のうちの前記第２支持部に支持される規制部材の上端部に取り付けられるフック部を更に備え、
前記第１支持部には、前記フック部を引っ掛けるための受け部が設けられている、請求項１〜５の何れかに記載の通り抜け規制器具。
【発明の詳細な説明】
【技術分野】
【０００１】
本発明は、ペットや幼児等の通り抜けを規制する技術に関する。
【背景技術】
【０００２】
キッチンや階段等の危険な場所にペットや幼児等が侵入することを防止するべく、その様な場所の入口に設けることが可能な安全柵が存在する。従来の安全柵には、床に置いて入口を塞ぐもの（特許文献１参照）や、入口の左右の壁や柱に突っ張って固定するもの（特許文献２、３参照）、更には入口の天井と床に支柱を突っ張って固定するもの（特許文献４参照）などが存在する。
【先行技術文献】
【特許文献】
【０００３】
【特許文献１】特開２００８−１１８９３４号公報
【特許文献２】特開２００７−０１４５８７号公報
【特許文献３】特開２００８−１４２４８４号公報
【特許文献４】特開２０１４−１６６２６２号公報
【発明の概要】
【発明が解決しようとする課題】
【０００４】
一方で、主にペットを屋内で放し飼いにする家庭では、玄関口の扉を開けたときにペットが逃げ出すという問題もあった。しかし、従来の安全柵では、ペットが玄関口から逃げ出すことを防止することが難しかった。なぜなら、従来の固定式の安全柵は、扉のない場所に突っ張って固定されるものであるため、玄関口等、扉を有する戸口には取り付け難いからである。又、床に置いて使用される従来の安全柵は、ペット等が寄り掛かったときに倒れる虞があり、ペットが逃げ出すことを防止できるとは限らない。
【０００５】
そこで本発明の目的は、開き戸で開閉される戸口において戸開時のペット等の通り抜けを規制する技術を提供することである。
【課題を解決するための手段】
【０００６】
本発明に係る通り抜け規制器具は、開き戸で開閉される戸口において戸開時の通り抜けを規制する器具であり、第１支持部と、第２支持部と、規制部と、を備える。第１支持部は、開き戸の内面のうちの戸先に近いに位置に取り付けられる。第２支持部は、戸口の側縁部に取り付けられる。そして、規制部は、折り畳み可能に連結された２つの規制部材を含み、当該規制部の両端部がそれぞれ第１支持部及び第２支持部に回動可能に支持されている。
【０００７】
上記通り抜け規制器具によれば、開き戸が開かれたとき、第１支持部と第２支持部とが互いに離れることで、これらに両端部が支持された規制部は、２つの規制部材を展開した状態（展開状態）へ移行する。又、開き戸が閉じられたとき、第１支持部と第２支持部とが互いに近づくことで、これらに両端部が支持された規制部は、２つの規制部材を折り畳んだ状態（折畳状態）へ移行する。即ち、開き戸の開閉に応じて、規制部の状態を、折畳状態と展開状態との間で変化させることができる。よって、開き戸が開かれたときであっても、展開状態にある規制部によってペット等の通り抜けが規制される。
【０００８】
上記通り抜け規制器具において、規制部は、第２支持部に支持される端部として、縦方向に延びた線状部を有し、第２支持部は、線状部が着脱可能に係合することで当該線状部を回動可能に支持する係合部を有していてもよい。この構成によれば、ユーザが戸口を通るときに、第２支持部側での規制部の支持を解除（即ち、係合部と線状部との係合を解除）することにより、通り抜けの規制を一時的に解除することができる。
【０００９】
上記通り抜け規制器具において、係合部には、係合位置へ線状部を導き入れるための入口が設けられていてもよい。この構成において、係合部は、上記入口を介して互いに対向する対向面がそれぞれに形成された第１係合構成部及び第２係合構成部から構成され、当該第２係合構成部は、自身の対向面を第１係合構成部の対向面から離間させる離間方向へ移動することが可能であることが好ましい。又、第２支持部は、離間方向とは逆方向へ第２係合構成部を付勢する付勢部材を更に有していることが好ましい。この構成によれば、係合部の入口を開閉させることで当該入口を通じて線状部を挿脱させることが可能になり、その結果として、係合部への線状部の係合及びその解除（即ち、第２支持部に対する規制部の着脱）が可能になる。しかも、係合部に線状部が係合しているときには、付勢部材の付勢力によって係合部の入口が閉じられることで、係合部からの線状部の脱落を防止することができる。
【００１０】
上記通り抜け規制器具において、第１係合構成部及び第２係合構成部の少なくとも何れか一方の対向面には、これに対向するもう一方の対向面とは反対側へ傾斜すると共に係合部の外側へ向けられた第１傾斜面が形成されていてもよい。この構成によれば、規制部の線状部を第１傾斜面に押し当て、その状態で線状部を係合部の内側へ向けて押し込むことにより、第２係合構成部には、第１傾斜面を介して、離間方向と同方向の押圧力を付与することができる。よって、線状部を押し込むことで上記入口を開くことでき、その結果として、係合部の内側へ線状部を挿入することが可能になる。この様に、線状部を係合部の内側へ向けて押し込むといった片手でも行うことが可能な簡単な操作で、線状部を係合部に係合させることができる。
【００１１】
上記通り抜け規制器具において、第１係合構成部及び第２係合構成部の少なくとも何れか一方の対向面には、これに対向するもう一方の対向面とは反対側へ傾斜すると共に係合部の内側へ向けられた第２傾斜面が形成されていてもよい。この構成によれば、規制部の線状部を係合部の外側へ向けて引っ張って、線状部を第２傾斜面に当接させることにより、第２係合構成部には、離間方向と同方向の押圧力を付与することができる。よって、線状部を引っ張ることで上記入口を開くことができ、その結果として、係合部の外側へ線状部を引き出すことが可能になる。この様に、線状部を係合部の外側へ向けて引っ張るといった片手でも行うことが可能な簡単な操作で、係合部と線状部との係合を解除することができる。
【００１２】
上記通り抜け規制器具は、２つの規制部材のうちの第２支持部に支持される規制部材の上端部に取り付けられるフック部を更に備え、第１支持部には、フック部を引っ掛けるための受け部が設けられていてもよい。この構成によれば、第２支持部側での規制部の支持を解除したときに、フック部を受け部に引っ掛けることにより、規制部を、２つの規制部材が折り畳まれた状態で開き戸の内面に密着させて保持することができる。よって、通り抜け規制器具による通り抜けの規制を実施しない場合において、開き戸の開閉時に、規制部が意図せず展開して通行が妨げられるといったことが生じない。
【発明の効果】
【００１３】
本発明によれば、開き戸で開閉される戸口において戸開時のペット等の通り抜けを規制することが可能になる。
【図面の簡単な説明】
【００１４】
【図１】本発明の一実施形態に係る通り抜け規制器具を示すと共に、戸開時における当該通り抜け規制器具の状態を示した斜視図である。
【図２】戸閉時における通り抜け規制器具の状態を示した斜視図である。
【図３】２つの規制部材を連結する連結部の構成を示した分解斜視図である。
【図４】第１支持部の構成を示した分解斜視図である。
【図５】第２支持部の構成を正面側から見て示した分解斜視図である。
【図６】第２支持部の構成を背面側から見て示した分解斜視図である。
【図７】第２支持部の取付けに関する変形例を示した斜視図である。
【図８】第２支持部が有する係合部を示した横断面図である。
【図９】（Ａ）第２支持部の係合部に規制部材の線状部を係合させるときのこれらの動き、（Ｂ）係合部と線状部との係合状態、及び（Ｃ）係合部と線状部との係合を解除するときのこれらの動き、をそれぞれ示した横断面図である。
【図１０】フック部及びその使用状態を示した斜視図である。
【発明を実施するための形態】
【００１５】
図１は、本発明の一実施形態に係る通り抜け規制器具を示した斜視図である。図１に示される様に、通り抜け規制器具は、開き戸１０１で開閉される戸口１０２において戸開時の通り抜けを規制する器具であり、第１支持部１と、第２支持部２と、規制部３と、フック部４と、を備える。尚、戸開時及び戸閉時における通り抜け規制器具の状態がそれぞれ、図１及び図２に示されている。
【００１６】
先ず、規制部３について説明する。規制部３は、折り畳み可能に連結された２つの規制部材３１を含む。本実施形態において、各規制部材３１には、ワイヤで形成された柵部材が用いられている。具体的には、この柵部材は、ワイヤで形成された矩形状の枠内に、直線状に延びた複数のワイヤを柵状又はネット状に並べて固定することで構成されている。又、２つの規制部材３１には、構成（形状やサイズ等）が同じ柵部材が用いられている。そして、２つの規制部材３１は、それらの枠を形成しているワイヤのうちの縦方向Ｄ１に延びた部分（以下、これらの部分を「線状部３０１」と称す）どうしを、上下に１つずつ配された２つの連結部３２によって回動可能に連結することにより、折り畳み可能に連結されている。
【００１７】
図３は、連結部３２の構成を示した分解斜視図である。図３に示される様に、連結部３２は、本体部３２１と、２つのカバー部３２２と、から構成されている。ここで、本体部３２１には、上述した２つの線状部３０１を回動可能に保持するための２つの保持位置Ｐｃ１及びＰｃ２が設けられると共に、これらの位置に線状部３０１を導き入れるための１つの入口３２１ａが設けられている。そして、２つのカバー部３２２は、本体部３２１に対して上下から入口３２１ａに沿って挿入することが可能であり、本体部３２１へのカバー部３２２の取付けにより、入口３２１ａが塞がれる。又、本体部３２１へのカバー部３２２の取付けにより、２つの保持位置Ｐｃ１及びＰｃ２の間がカバー部３２２によって仕切られる。
【００１８】
この様な連結部３２によれば、カバー部３２２を取り外した状態で、２つの線状部３０１を入口３２１ａから挿入して、それぞれを保持位置Ｐｃ１及びＰｃ２まで移動させた後、本体部３２１に対してカバー部３２２を取り付けるといった簡単な作業で、２つの線状部３０１を互いに連結することができる。
【００１９】
この様に構成された規制部３は、その両端部として、２つの規制部材３１の枠をそれぞれ形成しているワイヤのうちの、互いに連結された部分（線状部３０１）とは反対側の位置において縦方向Ｄ１に延びた部分（以下、これらの部分をそれぞれ「線状部３０ａ」及び「線状部３０ｂ」と称す）を有する。そして、後述する様に、これらの線状部３０ａ及び３０ｂがそれぞれ、第１支持部１及び第２支持部２に回動可能に支持される。
【００２０】
尚、２つの規制部材３１には、柵部材に限らず、網戸状やガラス戸状の部材、更には板部材などが用いられてもよい。この場合、２つの規制部材３１には、第１支持部１及び第２支持部２に回動可能に支持するための部分として、上述した線状部３０ａ及び線状部３０ｂに相当する部分を別途に設けることができる。又、２つの規制部材３１には、形状やサイズ等の構成が同じものに限らず、形状やサイズ等の構成が異なるものが用いられてもよい。更に、２つの規制部材３１は、これらを折り畳み可能に連結することができるのであれば、上述した連結部３２で連結する場合に限らず、ヒンジ等の連結機構によって連結されてもよい。
【００２１】
図１及び図２に示される様に、第１支持部１は、開き戸１０１の内面のうちの戸先１０１ａに近いに位置に取り付けられる。本実施形態では、開き戸１０１の下寄りの部分において、戸先１０１ａに近い上下の２箇所の位置に第１支持部１が１つずつ取り付けられている。又、第２支持部２は、開き戸１０１が開閉可能に取り付けられる戸口１０２の側縁部１０２ａとは反対側に位置する側縁部１０２ｂ（即ち、開き戸１０１の戸先１０１ａ側に位置する側縁部）に取り付けられる。
【００２２】
図４は、第１支持部１の構成を示した分解斜視図である。図４に示される様に、第１支持部１は、本体部１１と、２つのカバー部１２と、から構成されている。ここで、本体部１１には、規制部３の線状部３０ａを回動可能に支持するための支持位置Ｐａが設けられると共に、この位置に線状部３０ａを導き入れるための１つの入口１１ａが設けられている。そして、２つのカバー部１２は、本体部１１に対して上下から入口３２１ａに沿って挿入することが可能であり、本体部１１へのカバー部１２の取付けにより、入口１１ａが塞がれる。
【００２３】
この様な第１支持部１によれば、カバー部１２を取り外した状態で、線状部３０ａを入口１１ａから挿入して支持位置Ｐａまで移動させた後、本体部１１に対してカバー部１２を取り付けるといった簡単な作業で、線状部３０ａを第１支持部１によって支持することができる。
【００２４】
図５及び図６は、第２支持部２の構成を正面側及び背面側からそれぞれ見て示した分解斜視図である。図５及び図６に示される様に、第２支持部２は、本体部２１と、摺動部２２と、付勢部材２３と、係合部２４と、ロック部２５と、を有する。
【００２５】
本体部２１は、開き戸１０１の内側において戸口１０２の側縁部１０２ｂに固定される部分であり、当該側縁部１０２ｂに対して、両面テープ等の貼着部材やボルト等のネジ部材を用いて固定される。本実施形態では、側縁部１０２ｂのうちの、これとは反対側に位置するもう一方の側縁部１０２ａの方を向いた第１面１０２ｃに、本体部２１が固定される（図１及び図２参照）。
【００２６】
尚、戸口１０２の構造によっては、図７に示される様に、側縁部１０２ｂにおける上記第１面１０２ｃに、本体部２１を固定するための十分なスペースがない場合がある。この場合、略Ｌ字状に形成された固定補助具５を用いることにより、本体部２１を、第１面１０２ｃに固定するときと同じ姿勢を保ちつつ、側縁部１０２ｂのうちの内側を向いた第２面１０２ｄに固定することができる。尚、この第２面１０２ｄには、戸口１０２周りの壁や、２枚扉である場合における開き戸１０１とは別のもう一方の扉などが含まれる。
【００２７】
本体部２１には、摺動部２２を収納するための凹部２１１と、凹部２１１内での摺動部２２の摺動を可能にするガイド溝２１２と、が形成されている。具体的には、本体部２１の外面のうちの、本体部２１が戸口１０２の側縁部１０２ｂに固定されたときにもう一方の側縁部１０２ａの方を向くことになる正面２１ａに、凹部２１１が形成されている。又、縦方向Ｄ１に垂直な方向であって且つ側縁部１０２ｂの第１面１０２ｃ（本実施形態では、本体部２１が固定される面）に沿う方向（以下、「スライド方向Ｄ２」と称す）において摺動部２２が摺動可能となるように、凹部２１１の上下の内面にそれぞれガイド溝２１２が形成されている。そして、凹部２１１及びガイド溝２１２は何れも、スライド方向Ｄ２における本体部２１の一方の端面２１ｂ（本実施形態では内側の端面）へ突き抜けている。摺動部２２においては、ガイド溝２１２に摺動可能に嵌合する嵌合部２２１が、摺動部２２の上下の端部にそれぞれ形成されている。
【００２８】
この様な本体部２１及び摺動部２２によれば、本体部２１の凹部２１１に対して端面２１ｂ側から摺動部２２を挿入すると共に、上下のガイド溝２１２にも嵌合部２２１を挿入することができる。又、摺動部２２を、凹部２１１に収納した状態で、ガイド溝２１２に沿って（即ち、スライド方向Ｄ２において）摺動させることができる。
【００２９】
付勢部材２３は、摺動部２２がスライド方向Ｄ２へ移動したときに当該摺動部２２をスライド方向Ｄ２とは逆方向へ付勢する。即ち、付勢部材２３は、摺動部２２に対して、本体部２１の凹部２１１内へ引き戻すための力を付与する。具体的には、付勢部材２３は引っ張りバネであり、その両端部が、本体部２１の凹部２１１の内底面２１１ａに形成された突起部２１３（図５参照）と、摺動部２２の背面に形成された突起部２２２（図６参照）と、に引っ掛けられる。
【００３０】
係合部２４は、これに規制部３の線状部３０ｂが着脱可能に係合することで、当該線状部３０ｂを回動可能に支持する。図８は、係合部２４を示した横断面図である。図８に示される様に、係合部２４には、線状部３０ｂを係合させる係合位置Ｐｂが設けられると共に、この位置に線状部３０ｂを導き入れるための入口２４ａが設けられている。
【００３１】
より具体的には、係合部２４は、第１係合構成部２４１と第２係合構成部２４２とで構成されており、これらの構成部には、入口２４ａを介して互いに対向する対向面２４１ａ及び２４２ａがそれぞれに形成されている。そして、摺動部２２が凹部２１１に収納されたときに、対向面２４１ａ及び２４２ａどうしが互いに接触又は近接することにより入口２４ａが閉じられる様に、本体部２１に第１係合構成部２４１が設けられると共に、摺動部２２に第２係合構成部２４２が設けられている。本実施形態では、本体部２１の正面２１ａにおいて、スライド方向Ｄ２とは反対側に位置する凹部２１１の縁に沿って、第１係合構成部２４１が形成されている（図５参照）。又、第２係合構成部２４２は、摺動部２２のうちの、本体部２１の正面２１ａから露出する部分に形成されている。
【００３２】
従って、第２係合構成部２４２は、自身の対向面２４２ａを第１係合構成部２４１の対向面２４１ａから離間させる離間方向（本実施形態では、スライド方向Ｄ２に一致）へ移動することが可能である。よって、離間方向において第２係合構成部２４２を往復移動させることにより、係合部２４の入口２４ａを開閉させることができる（図９（Ａ）〜（Ｃ）参照）。
【００３３】
又、本実施形態では、摺動部２２が離間方向（スライド方向Ｄ２）へ移動したとき、当該摺動部２２には、付勢部材２３によって本体部２１の凹部２１１内へ引き戻すための力が付与される。従って、第２係合構成部２４２にも、付勢部材２３による同様の力（離間方向とは逆方向の付勢力）が摺動部２２を通じて付与される。よって、付勢部材２３の付勢力に抗した力（離間方向への力）が第２係合構成部２４２に付与されることにより、第２係合構成部２４２が離間方向へ移動し、その結果として係合部２４の入口２４ａが開かれる。一方、付勢部材２３の付勢力に抗した力（離間方向への力）がなくなると、第２係合構成部２４２は離間方向とは逆方向へ移動し、その結果として係合部２４の入口２４ａが閉じられる。
【００３４】
ロック部２５は、係合部２４の入口２４ａが閉じられた状態で摺動部２２を本体部２１に係脱可能にロックする。具体的には、ロック部２５は、操作部２５１と、係合突起部２５２と、これらを互いに連結する連結部２５３と、を有する（図６参照）。そして、摺動部２２には、その上部（嵌合部２２１が形成された端部を含む）に、ロック部２５の連結部２５３を上下に摺動させるためのガイドスリット２２３が形成されている。又、本体部２１には、上側のガイド溝２１２の上内面に、ロック部２５を上方へ移動させたときに係合突起部２５２が係合する係合受け部２１４が形成されている。ここで、係合受け部２１４は、係合部２４の入口２４ａが閉じられた状態のときに係合突起部２５２と対向する位置に設けられている。
【００３５】
上記ロック部２５によれば、係合部２４の入口２４ａが閉じられた状態で、ロック部２５を上方へ移動させて係合突起部２５２を係合受け部２１４に係合させることにより、スライド方向Ｄ２への摺動部２２の移動が禁止される。よって、第２支持部２で規制部３を支持した状態（即ち、第２支持部２の係合部２４に規制部３の線状部３０ｂを係合させた状態）において、係合突起部２５２を係合受け部２１４に係合させることにより、意図せず摺動部２２がスライド方向Ｄ２へ摺動することを防止することができる。その結果として、第２支持部２による規制部３の支持が意図せず解除されてしまうことが防止される。
【００３６】
この様な第２支持部２によれば、係合部２４の入口２４ａを開閉させることで、当該入口２４ａを通じて線状部３０ｂを挿脱させることが可能になり、その結果として、係合部２４への線状部３０ｂの係合及びその解除（即ち、第２支持部２に対する規制部３の着脱）が可能になる。しかも、係合部２４に線状部３０ｂが係合しているときには、付勢部材２３の付勢力によって係合部２４の入口２４ａが閉じられることで、係合部２４からの線状部３０ｂの脱落を防止することができる。
【００３７】
上記通り抜け規制器具によれば、開き戸１０１が開かれたとき、第１支持部１と第２支持部２とが互いに離れることで、これらに両端部（線状部３０ａ及び３０ｂ）が支持された規制部３は、２つの規制部材３１を展開した状態（展開状態）へ移行する。又、開き戸１０１が閉じられたとき、第１支持部１と第２支持部２とが互いに近づくことで、これらに両端部が支持された規制部３は、２つの規制部材３１を折り畳んだ状態（折畳状態）へ移行する。即ち、開き戸１０１の開閉に応じて、規制部３の状態を、折畳状態と展開状態との間で変化させることができる。よって、開き戸１０１が開かれたときであっても、展開状態にある規制部３によってペット等の通り抜けが規制される。この様に、上記通り抜け規制器具によれば、開き戸１０１で開閉される戸口１０２において戸開時のペット等の通り抜けを規制することができる。
【００３８】
又、ユーザが戸口１０２を通るときに、第２支持部２側での規制部３の支持を解除（即ち、第２支持部２の係合部２４と規制部３の線状部３０ｂとの係合を解除）することにより、通り抜けの規制を一時的に解除することができる。
【００３９】
更に、上記通り抜け規制器具は、戸口１０２において第１支持部１及び第２支持部２の取付位置を調整することにより、規制部３の高さを調整することができる。具体的には、上記通り抜け規制器具は、規制部３の下端を、ペット等が通り抜けることができない程度に浮かせて、戸口１０２に設けることができる。この様に規制部３の下端を浮かせることにより、ペットの毛玉や埃などが通り抜け規制器具に引っ掛かって当該器具の下方に溜まるといったことが生じ難くなる。又、規制部３の下側を、掃除機等で掃除することが可能になる。
【００４０】
本実施形態では、第２支持部２に対する規制部３の着脱（即ち、係合部２４に対する線状部３０ｂの着脱）を容易にするために、通り抜け規制器具は、以下の構成を更に有している。
【００４１】
図８に示される様に、第１係合構成部２４１の対向面２４１ａには、第１傾斜面２４１ｘと第２傾斜面２４１ｙとが形成されている。ここで、第１傾斜面２４１ｘは、第２係合構成部２４２の対向面２４２ａとは反対側へ傾斜すると共に、係合部２４の外側へ向けられた面である。第２傾斜面２４１ｙは、第２係合構成部２４２の対向面２４２ａとは反対側へ傾斜すると共に、係合部２４の外側へ向けられた面である。又、第２係合構成部２４２の対向面２４２ａには、第１傾斜面２４２ｘが形成されている。ここで、第１傾斜面２４２ｘは、第１係合構成部２４１の対向面２４１ａとは反対側へ傾斜すると共に、係合部２４の外側へ向けられた面である。
【００４２】
そして、この様な係合部２４の形状によれば、当該係合部２４において以下の様な動きを実現することができる。尚、図９（Ａ）は、係合部２４に線状部３０ｂを係合させるときのこれらの動きを示した横断面図である。図９（Ｂ）は、係合部２４と線状部３０ｂとの係合状態を示した横断面図である。図９（Ｃ）は、係合部２４と線状部３０ｂとの係合を解除するときのこれらの動きを示した横断面図である。
【００４３】
先ず、係合部２４に線状部３０ｂを係合させるとき、図９（Ａ）に示される様に線状部３０ｂを第１傾斜面２４１ｘ及び２４２ｘに押し当て、その状態で線状部３０ｂを係合部２４の内側へ向けて押し込む。このときに第１傾斜面２４１ｘ及び２４２ｘの位置から線状部３０ｂが脱落することを防止するべく、本実施形態では、脱落しそうになった線状部３０ｂを受け止めるリブ部２４３が、第２係合構成部２４２において第１傾斜面２４２ｘに沿って形成されている。尚、このリブ部２４３は、第１係合構成部２４１において第１傾斜面２４１ｘに沿って形成されていてもよい。
【００４４】
そして、線状部３０ｂを係合部２４の内側へ向けて押し込むことにより、第１係合構成部２４１には、第１傾斜面２４１ｘを介して、スライド方向Ｄ２とは逆方向の押圧力が付与される。又、第２係合構成部２４２には、第１傾斜面２４２ｘを介して、スライド方向Ｄ２と同方向の押圧力が付与される。第１係合構成部２４１は、本体部２１を介して戸口１０２の側縁部１０２ｂに固定されているため、押圧力が付与された場合でも動くことはない。一方、第２係合構成部２４２は、スライド方向Ｄ２へ移動することが可能であるため、上述したスライド方向Ｄ２と同方向の押圧力が付与され、且つ、その押圧力が付勢部材２３の付勢力よりも大きくなった場合、付勢部材２３の付勢力に抗してスライド方向Ｄ２へ移動する。よって、線状部３０ｂを押し込むことで入口２４ａを開くことができ、その結果として、係合部２４の内側へ線状部３０ｂを挿入することが可能になる。
【００４５】
その後、線状部３０ｂが入口２４ａを通過することで、図９（Ｂ）に示される様に、線状部３０ｂは係合部２４内の係合位置Ｐｂへ導かれると共に、第２係合構成部２４２は、これに対する上記押圧力がなくなることで付勢部材２３の付勢力によって元の位置へ戻り、その結果として、入口２４ａが再び閉じられる。この様に、線状部３０ｂを係合部２４の内側へ向けて押し込むといった片手でも行うことが可能な簡単な操作で、線状部３０ｂを係合部２４に係合させることができる。
【００４６】
次に、係合部２４と線状部３０ｂとの係合を解除するとき、図９（Ｃ）に示される様に線状部３０ｂを係合部２４の外側へ向けて引っ張る。これにより、線状部３０ｂが、第１係合構成部２４１の第２傾斜面２４１ｙに当接すると共に、第２係合構成部２４２の対向面２４２ａ或いはこれと同一平面で拡がった内面２４２ｂに当接する。よって、第１係合構成部２４１には、第２傾斜面２４１ｙを介して、スライド方向Ｄ２とは逆方向の押圧力が付与される。又、第２係合構成部２４２には、対向面２４２ａ又は内面２４２ｂを介して、スライド方向Ｄ２と同方向の押圧力が付与される。第１係合構成部２４１は、本体部２１を介して戸口１０２の側縁部１０２ｂに固定されているため、押圧力が付与された場合でも動くことはない。一方、第２係合構成部２４２は、スライド方向Ｄ２へ移動することが可能であるため、上述したスライド方向Ｄ２と同方向の押圧力が付与され、且つ、その押圧力が付勢部材２３の付勢力よりも大きくなった場合、付勢部材２３の付勢力に抗してスライド方向Ｄ２へ移動する。よって、線状部３０ｂを引っ張ることで入口２４ａを開くことができ、その結果として、係合部２４の外側へ線状部３０ｂを引き出すことが可能になる。
【００４７】
その後、線状部３０ｂが入口２４ａを通過することで、第２係合構成部２４２は、これに対する上記押圧力がなくなることで付勢部材２３の付勢力によって元の位置へ戻り、その結果として、入口２４ａが再び閉じられる。この様に、線状部３０ｂを係合部２４の外側へ向けて引っ張るといった片手でも行うことが可能な簡単な操作で、係合部２４と線状部３０ｂとの係合を解除することができる。
【００４８】
尚、第２支持部２に対する規制部３の着脱時における係合部２４の上記動作を実現することができるのであれば、係合部２４の横断面形状は、上述したものに限定されない様々な形状に変形することができる。例えば、上述した第１傾斜面は、第１係合構成部２４１及び第２係合構成部２４２の何れか一方の対向面にのみ設けられてもよいし、両方の対向面に設けられてもよい。上述した第２傾斜面についても同様である。又、係合部２４は、第１傾斜面及び第２傾斜面の何れか一方のみが形成された構成や、これらの傾斜面がない構成を有していてもよい。
【００４９】
図１０は、フック部４及びその使用状態を示した斜視図である。図１０に示される様に、フック部４は、２つの規制部材３１のうちの第２支持部２に支持される規制部材３１の上端部（枠を形成しているワイヤの上辺部分）に取り付けられる。本実施形態では、フック部４は、規制部材３１の上端部に回動可能に取り付けられている。又、第１支持部１には、その上部に、フック部４を引っ掛けるための受け部１３が設けられている。具体的には、上側のカバー部１２に受け部１３が形成されている（図４参照）。
【００５０】
この様なフック部４によれば、第２支持部２側での規制部３の支持を解除（即ち、第２支持部２の係合部２４と規制部３の線状部３０ｂとの係合を解除）したときに、フック部４を受け部１３に引っ掛けることにより、規制部３を、２つの規制部材３１が折り畳まれた状態で開き戸１０１の内面に密着させて保持することができる（図１０参照）。よって、通り抜け規制器具による通り抜けの規制を実施しない場合において、開き戸１０１の開閉時に、規制部３が意図せず展開して通行が妨げられるといったことが生じない。
【００５１】
上述の実施形態の説明は、すべての点で例示であって、制限的なものではないと考えられるべきである。本発明の範囲は、上述の実施形態ではなく、特許請求の範囲によって示される。更に、本発明の範囲には、特許請求の範囲と均等の意味及び範囲内での全ての変更が含まれることが意図される。
【符号の説明】
【００５２】
１  第１支持部
２  第２支持部
３  規制部
４  フック部
５  固定補助具
１１  本体部
１１ａ  入口
１２  カバー部
１３  受け部
２１  本体部
２１ａ  正面
２１ｂ  端面
２２  摺動部
２３  付勢部材
２４  係合部
２４ａ  入口
２５  ロック部
３０ａ、３０ｂ  線状部
３１  規制部材
３２  連結部
１０１  開き戸
１０１ａ  戸先
１０２  戸口
１０２ａ、１０２ｂ  側縁部
１０２ｃ  第１面
１０２ｄ  第２面
２１１  凹部
２１１ａ  内底面
２１２  ガイド溝
２１３  突起部
２１４  係合受け部
２２１  嵌合部
２２２  突起部
２２３  ガイドスリット
２４１  第１係合構成部
２４２  第２係合構成部
２４１ａ、２４２ａ  対向面
２４２ｂ  内面
２４１ｘ、２４２ｘ  第１傾斜面
２４１ｙ  第２傾斜面
２４３  リブ部
２５１  操作部
２５２  係合突起部
２５３  連結部
３０１  線状部
３２１  本体部
３２１ａ  入口
３２２  カバー部
Ｄ１  縦方向
Ｄ２  スライド方向
Ｐａ  支持位置
Ｐｂ  係合位置
Ｐｃ１、Ｐｃ２  保持位置
【図１】
2019106949.tif 000003
【図２】
2019106949.tif 000004
【図３】
2019106949.tif 000005
【図４】
2019106949.tif 000006
【図５】
2019106949.tif 000007
【図６】
2019106949.tif 000008
【図７】
2019106949.tif 000009
【図８】
2019106949.tif 000010
【図９】
2019106949.tif 000011
【図１０】
2019106949.tif 000012